(57)【要約】【課題】切り替えのためだけのキー操作をしなくても、通常モードからユニバーサルモードへの切り替えを可能とし、ユーザーの操作性を向上できるようにする。【解決手段】表示部４７３に表示されている操作画像に対するタッチ操作を、タッチパネル機能により受け付ける操作受付部１０１と、操作受付部１０１がピンチアウトの操作を受け付けると、表示部４７３に表示されている縮尺変更の対象となる縮尺変更画像を、ピンチアウトの操作に基づいて拡大し、操作受付部１０１がピンチインの操作を受け付けると、縮尺変更画像を、ピンチインの操作に基づいて縮小する表示制御部１０２とを備え、更に、表示制御部１０２は、ピンチアウトの操作による縮尺変更画像の表示倍率が予め定められた第１倍率に達すると、操作画像を通常モードでの表示からユニバーサルモードでの表示に切り替える。【選択図】図１
2020194291.tif 000002
【特許請求の範囲】
【請求項１】
タッチパネル機能を備える表示部と、
前記表示部の表示制御を行う表示制御部と、
前記表示部に表示されている操作画像に対するタッチ操作を、前記表示部に設けられた前記タッチパネル機能により受け付ける操作受付部と、を備え、
前記表示制御部は、前記操作受付部がピンチアウトの操作を受け付けると、前記表示部に表示されている縮尺変更の対象となる縮尺変更画像を、前記ピンチアウトの操作に基づいて拡大し、前記操作受付部がピンチインの操作を受け付けると、前記縮尺変更画像を、前記ピンチインの操作に基づいて縮小し、
更に、前記表示制御部は、前記ピンチアウトの操作による前記縮尺変更画像の表示倍率が予め定められた第１倍率に達すると、前記操作画像を、通常モードでの表示から当該通常モードよりも視認性の高いユニバーサルモードでの表示に切り替える第１表示機能を有する表示装置。
【請求項２】
前記ピンチアウトの操作速度が予め定められた第１速度以下の場合、
前記表示制御部は、前記ピンチアウトの操作による前記縮尺変更画像の表示倍率が前記第１倍率に達しても、前記通常モードでの表示を維持し、前記第１表示機能を実行せず、
前記ピンチアウトの操作速度が前記第１速度よりも速い場合、
前記表示制御部は、前記ピンチアウトの操作による前記縮尺変更画像の表示倍率が前記第１倍率に達したときに、前記第１表示機能を実行する請求項１に記載の表示装置。
【請求項３】
前記表示制御部は、前記ピンチアウトの操作による前記縮尺変更画像の表示倍率が前記第１倍率に達した後、前記操作受付部が前記操作画像に設けられたアイコンの選択を受け付けることを条件として、当該アイコンに対応する前記操作画像を前記ユニバーサルモードで表示する前記第１表示機能を実行する請求項１又は請求項２に記載の表示装置。
【請求項４】
前記表示制御部は、前記第１表示機能の実行時に、前記操作受付部が前記操作画像に設けられたアイコンの選択を受け付けることを条件とするか否かの選択をユーザーから受け付ける選択受付部を更に備え、
前記表示制御部は、前記選択受付部により、前記アイコンの選択を受け付けることを条件とする選択が受け付けられている場合に、前記アイコンの選択を受け付けることを条件として、前記アイコンに対応する前記操作画像を前記ユニバーサルモードで表示する請求項３に記載の表示装置。
【請求項５】
更に、前記表示制御部は、前記ユニバーサルモードでの表示時に、前記ピンチインの操作による前記縮尺変更画像の表示倍率が予め定められた第２倍率以下になると、前記操作画像を、前記ユニバーサルモードでの表示から前記通常モードでの表示に切り替える請求項１乃至請求項４のいずれかに記載の表示装置。
【請求項６】
前記ピンチインの操作速度が予め定められた第２速度以下の場合、
前記表示制御部は、前記ピンチインの操作による前記縮尺変更画像の表示倍率が前記第２倍率以下になっても、前記ユニバーサルモードでの表示を維持する請求項５に記載の表示装置。
【請求項７】
タッチパネル機能を備える表示部の表示制御を行う表示制御部と、
前記表示部に表示されている操作画像に対するタッチ操作を、前記表示部に設けられた前記タッチパネル機能により受け付ける操作受付部として、コンピューターを機能させ、
前記表示制御部は、前記操作受付部がピンチアウトの操作を受け付けると、前記表示部に表示されている縮尺変更の対象となる縮尺変更画像を、前記ピンチアウトの操作に基づいて拡大し、前記操作受付部がピンチインの操作を受け付けると、前記縮尺変更画像を、前記ピンチインの操作に基づいて縮小し、
更に、前記表示制御部は、前記ピンチアウトの操作による前記縮尺変更画像の表示倍率が予め定められた第１倍率に達すると、前記操作画像を、通常モードでの表示から当該通常モードよりも視認性の高いユニバーサルモードでの表示に切り替えるように、前記コンピューターを機能させる表示制御プログラム。
【請求項８】
前記表示制御部が、前記ピンチアウトの操作による前記縮尺変更画像の表示倍率が前記第１倍率に達した後、前記操作受付部が前記操作画像に設けられたアイコンの選択を受け付けることを条件として、当該アイコンに対応する前記操作画像を前記ユニバーサルモードで表示するように、前記コンピューターを更に機能させる請求項７に記載の表示制御プログラム。
【発明の詳細な説明】
【技術分野】
【０００１】
本発明は、表示装置及び表示制御プログラムに関し、特に、表示部に表示される表示内容を切り替える技術に関する。
【背景技術】
【０００２】
下記の特許文献１には、煩雑な操作に適応可能なユーザーを対象とした通常モードと、煩雑な操作に適応困難なユーザーを対象としたユニバーサルモードとを備える装置が記載されている。そして、通常モードからユニバーサルモードに切り替え可能な複合機は、既に実用化されている。
【先行技術文献】
【特許文献】
【０００３】
【特許文献１】特開２０１５−１３３１３６号公報
【発明の概要】
【発明が解決しようとする課題】
【０００４】
図６（Ａ）は、表示部に表示される通常モードでの操作画像の一例を示した図で、図６（Ｂ）は、表示部に表示されるユニバーサルモードでの操作画像の一例を示した図である。ユニバーサルモードでの操作画像Ｕ２は、通常モードでの操作画像Ｎ２よりも、文字やアイコンが大きく表示され、視認性が高く、テンキーで項目を選択できるようになっている。例えば、ユニバーサルモードでの操作画像Ｕ２が表示部４７３に表示されている状態では、ユーザーはテンキーの「２」を操作することで、「縮小／拡大」の項目の選択が可能となる。
【０００５】
従来、通常モードからユニバーサルモードへの切り替えには、それ専用のキー（例えば、ユニバーサルキー）をユーザーは操作する必要があった。
【０００６】
本発明は、上記の事情に鑑みなされたものであり、切り替えのためだけのキー操作をしなくても、通常モードからユニバーサルモードへの切り替えを可能とし、ユーザーの操作性を向上できるようにすることを目的とする。
【課題を解決するための手段】
【０００７】
本発明の一局面に係る表示装置は、タッチパネル機能を備える表示部と、前記表示部の表示制御を行う表示制御部と、前記表示部に表示されている操作画像に対するタッチ操作を、前記表示部に設けられた前記タッチパネル機能により受け付ける操作受付部と、を備え、前記表示制御部は、前記操作受付部がピンチアウトの操作を受け付けると、前記表示部に表示されている縮尺変更の対象となる縮尺変更画像を、前記ピンチアウトの操作に基づいて拡大し、前記操作受付部がピンチインの操作を受け付けると、前記縮尺変更画像を、前記ピンチインの操作に基づいて縮小し、更に、前記表示制御部は、前記ピンチアウトの操作による前記縮尺変更画像の表示倍率が予め定められた第１倍率に達すると、前記操作画像を、通常モードでの表示から当該通常モードよりも視認性の高いユニバーサルモードでの表示に切り替える第１表示機能を有する。
【０００８】
また、本発明の一局面に係る表示制御プログラムは、タッチパネル機能を備える表示部の表示制御を行う表示制御部と、前記表示部に表示されている操作画像に対するタッチ操作を、前記表示部に設けられた前記タッチパネル機能により受け付ける操作受付部として、コンピューターを機能させ、前記表示制御部は、前記操作受付部がピンチアウトの操作を受け付けると、前記表示部に表示されている縮尺変更の対象となる縮尺変更画像を、前記ピンチアウトの操作に基づいて拡大し、前記操作受付部がピンチインの操作を受け付けると、前記縮尺変更画像を、前記ピンチインの操作に基づいて縮小し、更に、前記表示制御部は、前記ピンチアウトの操作による前記縮尺変更画像の表示倍率が予め定められた第１倍率に達すると、前記操作画像を、通常モードでの表示から当該通常モードよりも視認性の高いユニバーサルモードでの表示に切り替えるように、前記コンピューターを機能させる。
【発明の効果】
【０００９】
本発明によれば、ユーザーによりピンチアウトの操作が行われ、縮尺変更画像の表示倍率が第１倍率に達すると、操作画像が通常モードでの表示からユニバーサルモードでの表示に切り替えられる。従って、ユーザーは切り替えのためだけのキー操作をしなくても、ピンチアウトの操作で、拡大表示の意思を示すことで、通常モードからユニバーサルモードへ切り替えることが可能となるので、操作性が向上する。
【図面の簡単な説明】
【００１０】
【図１】本発明の第１実施形態に係る表示装置としての画像形成装置の主要内部構成を概略的に示した機能ブロック図である。
【図２】（Ａ）、（Ｂ）は、表示部に表示される操作画像の一例を示した図である。
【図３】第１実施形態に係る表示装置としての画像形成装置の制御ユニットで行われる処理の一例を示したフローチャートである。
【図４】表示部に表示される操作画像の一例を示した図である。
【図５】第１実施形態に係る表示装置としての画像形成装置の制御ユニットで行われる処理の一例を示したフローチャートである。
【図６】（Ａ）（Ｂ）は、表示部に表示される操作画像の一例を示した図である。
【図７】第１実施形態に係る表示装置としての画像形成装置の制御ユニットで行われる処理の一例を示したフローチャートである。
【図８Ａ】第２実施形態に係る表示装置としての画像形成装置の制御ユニットで行われる処理の一例を示したフローチャートである。
【図８Ｂ】第２実施形態に係る表示装置としての画像形成装置の制御ユニットで行われる処理の一例を示したフローチャートである。
【図９】表示部に表示される操作画像の一例を示した図である。
【図１０】第３実施形態に係る表示装置としての画像形成装置の主要内部構成を概略的に示した機能ブロック図である。
【発明を実施するための形態】
【００１１】
以下、本発明の一実施形態に係る表示装置及び表示制御プログラムについて図面を参照して説明する。図１は、本発明の第１実施形態に係る表示装置としての画像形成装置の主要内部構成を概略的に示した機能ブロック図である。
【００１２】
第１実施形態に係る表示装置は、例えば、画像形成装置１である。画像形成装置１は、コピー機能、プリンター機能、スキャナー機能、及びファクシミリ機能のような複数の機能を兼ね備える。画像形成装置１は、制御ユニット１０、原稿給送部６、原稿読取部５、画像形成部１２、定着部１３、給紙部１４、及び操作部４７を備える。
【００１３】
画像形成装置１で原稿読取動作が行われる場合について説明する。原稿給送部６により原稿読取位置に搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１４】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙にトナー像を形成する。
【００１５】
定着部１３は、画像形成部１２によりトナー像が形成された記録紙を加熱及び加圧して、トナー像を記録紙に定着させるものであり、定着処理が施された記録紙（印刷物）は図略の排出トレイに排出される。給紙部１４は、給紙カセットを備える。
【００１６】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３は、例えばＬＣＤ等である。表示部４７３は、表示画面への物体（例えば、ユーザーの指）の接触を検知するタッチパネル機能を備えている。タッチパネルは、ユーザーの指が表示画面に接触されると、その接触位置を示す信号を制御ユニット１０へ送る。表示制御部１０２（後述）は、当該信号に基づいて、表示部４７３に表示される操作画像（タッチ操作に基づくユーザーからの指示受付用画像）を切り替える。これにより、操作者は画面表示されるアイコンやボタン、キーに指を触れることで画像形成装置１を操作することができる。
【００１７】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、表示制御部１０２と、を備えている。
【００１８】
制御ユニット１０は、図略のＨＤＤ（Hard Disk Drive）等に記憶されている、本発明の一実施形態に係る表示制御プログラム等に従った上記プロセッサーによる動作により、制御部１００、操作受付部１０１、及び表示制御部１０２として機能するものである。但し、制御部１００等は、制御ユニット１０による表示制御プログラム等に従った動作によらず、それぞれハードウェア回路により構成することも可能である。以下、特に触れない限り、各実施形態について同様である。
【００１９】
制御部１００は、画像形成装置１の全体的な動作制御を司る。制御部１００は、原稿給送部６、原稿読取部５、画像形成部１２、定着部１３、給紙部１４、及び操作部４７と接続され、これら各部の駆動制御等を行う。例えば、制御部１００は、原稿読取部５による読み取りで得られた原稿の画像データに基づいて、当該画像データが示す原稿画像を、画像形成部１２の動作を制御して、記録媒体としての記録紙に形成させ、印刷物を生成する。
【００２０】
操作受付部１０１は、操作部４７を介してユーザーからの指示の入力を受け付ける。操作受付部１０１は、操作部４７が備えるハードキーに対するユーザー操作、更には、表示部４７３に表示されている操作画像に対するユーザー操作（タッチ操作）を、上記タッチパネルを介して受け付ける。
【００２１】
例えば、表示部４７３の表示画面を指で一回叩く行為（タップ操作）、表示画面を指で素早く払うような行為（フリック操作）、表示画面に接触させた２本の指を離間させる行為（ピンチアウト操作）、表示画面に接触させた２本の指を接近させる行為（ピンチイン操作）等のジェスチャー操作が、ユーザー操作として、タッチパネルを介して操作受付部１０１に受け付けられる。
【００２２】
表示制御部１０２は、表示部４７３の表示制御を行う。例えば、表示制御部１０２は、操作受付部１０１がピンチアウトの操作を受け付けると、表示部４７３に表示されている縮尺変更の対象となる縮尺変更画像を、ピンチアウトの操作に基づいて拡大し、操作受付部１０１がピンチインの操作を受け付けると、縮尺変更画像を、ピンチインの操作に基づいて縮小する。
【００２３】
例えば、図２（Ａ）に示すように、タイトル名が「ホーム」の操作画像Ｎ１が表示部４７３に表示されているときに、操作受付部１０１がピンチアウトの操作を受け付けると、表示制御部１０２は、図２（Ｂ）に示すように、縮尺変更の対象となる縮尺変更画像Ｎ１１（操作画像Ｎ１からヘッドバーＨＢ１を除いた画像）を、ピンチアウトの操作に基づいて拡大する。
【００２４】
次に、第１実施形態に係る表示装置としての画像形成装置１における制御ユニット１０で行われる処理の一例について、図３に示したフローチャートに基づいて説明する。なお、この処理は、通常モードでの操作画像が表示部４７３に表示されているときに、操作受付部１０１がピンチアウト操作又はピンチイン操作を受け付けた場合に行われる処理である。
【００２５】
まず、制御部１００は、操作受付部１０１が受け付けた操作がピンチアウト操作であるか否かを判断する（Ｓ１）。制御部１００が、操作受付部１０１が受け付けた操作がピンチアウト操作であると判断した場合（Ｓ１でＹＥＳ）、表示制御部１０２は、表示部４７３に表示されている縮尺変更の対象となる縮尺変更画像を、ピンチアウトの操作に基づいて拡大する（Ｓ２）。
【００２６】
その後、制御部１００は、縮尺変更画像の表示倍率Ｍが予め定められた第１倍率ＴＨ１（例えば、標準時の２００％）に達しているか否かを判断し（Ｓ３）、制御部１００は、表示倍率Ｍが第１倍率ＴＨ１に達していると判断した場合（Ｓ３でＹＥＳ）、表示モードの切り替えを示すフラグＦを１に設定して、表示モードをユニバーサルモードに設定し（Ｓ４）、表示制御部１０２は、表示部４７３に表示される操作画像を、通常モードでの表示からユニバーサルモードでの表示に切り替える（Ｓ５）。この後、処理は終了する。
【００２７】
例えば、図２（Ｂ）に示した、縮尺変更画像Ｎ１１（通常モード）の表示倍率Ｍが２００％に達すると、表示制御部１０２は、表示部４７３に表示される操作画像を、通常モードでの拡大表示から、ユニバーサルモードでの異なる画面の表示に切り替える。図４は、ユニバーサルモードで表示した場合の操作画像の一例を示した図である。
【００２８】
操作画像Ｕ１は、「ホーム」と記されたヘッドバーＨＢ１と、縮尺変更画像Ｕ１１とを有する。ユニバーサルモードでの操作画像Ｕ１は、選択可能な項目が利用頻度の比較的高い３項目（コピー、送信、ファクス）に絞られ、文字やアイコンが大きく表示され、通常モードよりも視認性が高く、テンキーで項目を選択可能とされている。例えば、ユーザーがテンキーの「３」を操作すると、操作受付部１０１に、ファクス動作を選択する指示が受け付けられる。
【００２９】
一方、Ｓ３において、制御部１００が、表示倍率Ｍが第１倍率ＴＨ１に達していないと判断した場合（Ｓ３でＮＯ）、ピンチアウトの操作に基づいた通常モードでの拡大表示を続ける。制御部１００は、表示モードをユニバーサルモードに設定しない。この後、処理を終了する。
【００３０】
また、Ｓ１において、制御部１００が、操作受付部１０１が受け付けた操作がピンチアウト操作でない（ピンチイン操作である）と判断した場合（Ｓ１でＮＯ）、表示制御部１０２は、表示部４７３に表示されている縮尺変更の対象となる縮尺変更画像をピンチインの操作に基づいて縮小する処理に移行させる（Ｓ６）。この後、処理は終了する。
【００３１】
次に、第１実施形態に係る表示装置としての画像形成装置１における制御ユニット１０で行われる処理の別の一例について、図５に示したフローチャートに基づいて説明する。なお、この処理は、操作受付部１０１が操作画像に設けられているアイコンのユーザー選択を受け付けた場合に行われる処理である。
【００３２】
まず、制御部１００は、フラグＦが０であるか否かを判断し（Ｓ１１）、フラグＦが０であると判断した場合（Ｓ１１でＹＥＳ）、表示制御部１０２が、操作受付部１０１が受け付けたユーザー選択のアイコンに対応する操作画像を、通常モードで表示する（Ｓ１２）。この後、処理は終了する。
【００３３】
例えば、フラグＦが０である（表示モードが通常モードに設定されている）ときに、図２（Ａ）、（Ｂ）に示した操作画像Ｎ１で「コピー」と記されたアイコンが選択されると、図６（Ａ）に示したような、通常モードでの操作画像Ｎ２が表示部４７３に表示される。操作画像Ｎ２は、「コピーできます。」と記されたヘッドバーＨＢ２と、縮尺変更画像Ｎ２１とを有する。
【００３４】
一方、制御部１００が、フラグＦが０でない（フラグＦが１である）と判断した場合（Ｓ１１でＮＯ）、表示制御部１０２は、操作受付部１０１が受け付けたユーザー選択のアイコンに対応する操作画像を、通常モードではなく、ユニバーサルモードで表示し（Ｓ１３）、この処理を終了する。
【００３５】
例えば、フラグＦが１である（表示モードがユニバーサルモードに設定されている）ときに、図４に示した操作画像Ｕ１で「コピー」と記されたアイコンが選択されたり、テンキーの「１」が操作されたりすると、図６（Ｂ）に示したような、ユニバーサルモードでの操作画像Ｕ２が表示部４７３に表示される。操作画像Ｕ２は、「コピーできます。」と記されたヘッドバーＨＢ２と、縮尺変更画像Ｕ２１とを有する。
【００３６】
次に、第１実施形態に係る表示装置としての画像形成装置１における制御ユニット１０で行われる処理の別の一例について、図７に示したフローチャートに基づいて説明する。なお、この処理は、ユニバーサルモードでの操作画像（例えば、図４に示した操作画像Ｕ１）が表示部４７３に表示されているときに、操作受付部１０１がピンチアウト操作又はピンチイン操作を受け付けた場合に行われる処理である。
【００３７】
まず、制御部１００は、操作受付部１０１が受け付けた操作がピンチイン操作であるか否かを判断する（Ｓ２１）。制御部１００が、操作受付部１０１が受け付けた操作がピンチイン操作であると判断した場合（Ｓ２１でＹＥＳ）、表示制御部１０２は、表示部４７３に表示されている縮尺変更の対象となる縮尺変更画像（例えば、図４に示した縮尺変更画像Ｕ１１）を、ピンチインの操作に基づいて縮小する（Ｓ２２）。
【００３８】
その後、制御部１００は、縮尺変更画像の表示倍率Ｍが予め定められた第２倍率ＴＨ２（例えば、標準時の５０％）以下であるか否かを判断し（Ｓ２３）、制御部１００は、表示倍率Ｍが第２倍率ＴＨ２以下であると判断した場合（Ｓ２３でＹＥＳ）、表示モードの切り替えを示すフラグＦを０に設定して、表示モードを通常モードに設定し（Ｓ２４）、表示制御部１０２は、縮尺変更画像を、ユニバーサルモードでの表示から通常モードでの表示に切り替える（Ｓ２５）。この後、処理は終了する。
【００３９】
例えば、図４に示した、縮尺変更画像Ｕ１１（ユニバーサルモード）の表示倍率Ｍが５０％以下になると、表示制御部１０２は、表示部４７３に表示される操作画像Ｕ１を、ユニバーサルモードでの表示から通常モードでの表示（図２（Ａ）に示した操作画像Ｎ１）に切り替える。
【００４０】
一方、Ｓ２３において、制御部１００が、表示倍率Ｍが第２倍率ＴＨ２以下でないと判断した場合（Ｓ２３でＮＯ）、表示モードを通常モードに戻す必要はないので、この処理を終了する。
【００４１】
また、Ｓ２１において、制御部１００が、操作受付部１０１が受け付けた操作がピンチイン操作でない（ピンチアウト操作である）と判断した場合（Ｓ２１でＮＯ）、表示制御部１０２は、表示部４７３に表示されている縮尺変更の対象となる縮尺変更画像をピンチアウトの操作に基づいて拡大する処理に移行させる（Ｓ２６）。この後、処理は終了する。
【００４２】
上記第１実施形態に係る画像形成装置１による処理によれば、ユーザーによりピンチアウトの操作が行われ、縮尺変更画像の表示倍率Ｍが第１倍率ＴＨ１に達すると、操作画像が通常モードでの表示からユニバーサルモードでの表示に切り替えられ、一方、ユーザーによりピンチインの操作が行われ、縮尺変更画像の表示倍率Ｍが第２倍率ＴＨ２以下になると、操作画像がユニバーサルモードでの表示から通常モードでの表示に切り替えられる。
【００４３】
従って、従来のように、ユーザーは切り替えのためだけのキー操作をしなくても、ピンチアウトの操作で、拡大表示の意思を示すことで、通常モードからユニバーサルモードへ切り替えることが可能となり、ピンチインの操作で、縮小表示の意思を示すことで、ユニバーサルモードから通常モードへ戻すことが可能となるので、操作性を向上させることができる。
【００４４】
続いて、第１実施形態に係る画像形成装置による処理の他の形態を説明する。当該他の形態は、ピンチアウト及びピンチインの操作速度を考慮する点で、上記に示した形態と相違する。なお、上記に示した形態での処理と同様の処理については説明を省略する。
【００４５】
図３に示したフローチャートの処理を行う場合、制御部１００は、ピンチアウトの操作速度ＶＯを測定し、操作速度ＶＯが予め定められた第１速度Ｖ１以下であるか否かを判断し、制御部１００は、縮尺変更画像の表示倍率Ｍが上記第１倍率ＴＨ１に達していても、操作速度ＶＯが第１速度Ｖ１以下であると判断した場合には、表示モードをユニバーサルモードに設定せず、通常モードを維持する。すなわち、フラグＦを１に設定せず、０のままにする。つまり、ピンチアウトの操作速度が遅い場合、表示制御部１０２は、通常モードを維持し、ユニバーサルモードでの表示への切り替えを行わない。
【００４６】
なお、この場合、制御部１００は、縮尺変更画像の表示倍率Ｍが上記第１倍率ＴＨ１に達していて、かつ、操作速度ＶＯが第１速度Ｖ１よりも速いと判断した場合に、表示モードをユニバーサルモードに設定し、ユニバーサルモードでの表示に切り替える。
【００４７】
上記と同様に、図７に示したフローチャートの処理を行う場合、制御部１００は、ピンチインの操作速度ＶＩを測定し、操作速度ＶＩが予め定められた第２速度Ｖ２以下であるか否かを判断し、制御部１００は、縮尺変更画像の表示倍率Ｍが上記第２倍率ＴＨ２以下であっても、操作速度ＶＩが第２速度Ｖ２以下であると判断した場合には、表示モードを通常モードに設定せず、ユニバーサルモードを維持する。すなわち、フラグＦを０に戻さず、１のままにする。つまり、ピンチインの操作速度が遅い場合、表示制御部１０２は、ユニバーサルモードを維持し、通常モードでの表示への切り替えを行わない。
【００４８】
なお、この場合、制御部１００は、縮尺変更画像の表示倍率Ｍが上第２倍率ＴＨ２以下であり、かつ、操作速度ＶＯが第１速度Ｖ１よりも速いと判断した場合に、表示モードを通常モードに設定し、通常モードでの表示に切り替える。
【００４９】
当該他の形態によれば、ユーザーは表示の切り替えを望まない場合には、ピンチアウトの操作やピンチインの操作をゆっくりと行えばよいので、利便性の向上が図られる。
【００５０】
次に、第２実施形態に係る表示装置としての画像形成装置について説明する。上記第１実施形態及び他の形態は、表示制御部１０２が、縮尺変更画像の表示倍率Ｍが第１倍率ＴＨ１に達すると、操作画像を通常モードでの表示からユニバーサルモードでの表示に切り替える機能（第１表示機能）を有する。
【００５１】
これに対して、第２実施形態に係る画像形成装置１では、表示制御部１０２が、縮尺変更画像の表示倍率Ｍが第１倍率ＴＨ１に達した後に、操作受付部１０１が縮尺変更画像に設けられたアイコンのユーザー選択を受け付けることを更なる条件とし、この条件を満たした場合に、当該アイコンに対応する操作画像を、通常モードよりも視認性の高いユニバーサルモードで表示する。この点で、第２実施形態に係る画像形成装置１による処理は、上記第１実施形態及び他の形態と相違する。
【００５２】
第２実施形態に係る表示装置としての画像形成装置１における制御ユニット１０で行われる処理の一例について、図８Ａ及び図８Ｂに示すフローチャートに基づいて説明する。なお、この処理は、通常モードでの操作画像が表示部４７３に表示されているときに、操作受付部１０１がピンチアウト操作又はピンチイン操作を受け付けた場合に行われる処理である。
【００５３】
まず、図８Ａに示すフローチャートに基づいて説明すると、制御部１００は、操作受付部１０１が受け付けた操作がピンチアウト操作であるか否かを判断する（Ｓ３１）。制御部１００が、操作受付部１０１が受け付けた操作がピンチアウト操作であると判断した場合（Ｓ３１でＹＥＳ）、表示制御部１０２は、表示部４７３に表示されている縮尺変更の対象となる縮尺変更画像を、ピンチアウトの操作に基づいて拡大する（Ｓ３２）。
【００５４】
その後、制御部１００は、縮尺変更画像の表示倍率Ｍが予め定められた第１倍率ＴＨ１（例えば、標準時の２００％）に達しているか否かを判断し（Ｓ３３）、表示倍率Ｍが第１倍率ＴＨ１に達していると判断した場合（Ｓ３３でＹＥＳ）、制御部１００は、表示モードの切り替えを示すフラグＦを１に設定して、表示モードをユニバーサルモードに設定する（Ｓ３４）。この後、処理は終了する。
【００５５】
すなわち、上記第１実施形態及び上記第２実施形態と異なり、表示倍率Ｍが第１倍率ＴＨ１に達した時点では、通常モードでの表示からユニバーサルモードでの表示に切り替えない。図９は、通常モードでの縮尺変更画像Ｎ１１の表示倍率が標準時の２００％である操作画像Ｎ１を示している。
【００５６】
また、Ｓ３１において、制御部１００が、操作受付部１０１が受け付けた操作がピンチアウト操作でない（ピンチイン操作である）と判断した場合（Ｓ３１でＮＯ）、表示制御部１０２は、表示部４７３に表示されている縮尺変更の対象となる縮尺変更画像を、ピンチインの操作に基づいて縮小する処理に移行させる（Ｓ３５）。
【００５７】
一方、Ｓ３３において、制御部１００が、表示倍率Ｍが第１倍率ＴＨ１に達していないと判断した場合（Ｓ３３でＮＯ）、処理は終了する。表示モードは通常モードが維持される。
【００５８】
続いて、図８Ｂに示すフローチャートに基づいて説明すると、制御部１００は、操作受付部１０１が受け付けた操作がピンチイン操作であると判断した場合（Ｓ４１でＹＥＳ）、表示制御部１０２は、表示部４７３に表示されている縮尺変更の対象となる縮尺変更画像を、ピンチインの操作に基づいて縮小する（Ｓ４２）。その後、制御部１００は、縮尺変更画像の表示倍率Ｍが第２倍率ＴＨ２以下であると判断した場合に（Ｓ４３でＹＥＳ）、表示モードの切り替えを示すフラグＦを０に設定して、表示モードを通常モードに設定する（Ｓ４４）。しかし、表示制御部１０２は、この時点では、縮尺変更画像を、ユニバーサルモードでの表示から通常モードでの表示には切り替えない。
【００５９】
また、Ｓ４１において、制御部１００が、操作受付部１０１が受け付けた操作がピンチイン操作でない（ピンチアウト操作である）と判断した場合（Ｓ４１でＮＯ）、表示制御部１０２は、表示部４７３に表示されている縮尺変更の対象となる縮尺変更画像を、ピンチアウトの操作に基づいて拡大する処理に移行させる（Ｓ４６）
【００６０】
一方、Ｓ４３において、制御部１００が、表示倍率Ｍが第２倍率ＴＨ２以下でないと判断した場合（Ｓ４３でＮＯ）、処理は終了する。表示モードはユニバーサルモードが維持される。
【００６１】
上記Ｓ３４及びＳ４４の後、操作受付部１０１は、操作画像として設けられているアイコンに対するユーザーによる操作がタッチパネルを介して操作受付部１０１に受け付けられた場合に、表示制御部１０２は、図５によりフローチャートを用いて説明した処理と同様の処理を行って、通常モード又はユニバーサルモードに切り換えて操作画像を表示部４７３に表示させる。
【００６２】
フラグＦが０である（表示モードが通常モードに設定されている）ときに、例えば、図２（Ａ）に示した操作画像Ｎ１で「コピー」と記されたアイコンが選択され、この選択が操作受付部１０１に受け付けられると、図６（Ａ）に示したような、通常モードでの操作画像Ｎ２を表示制御部１０２が表示部４７３に表示させる。一方、フラグＦが１である（表示モードがユニバーサルモードに設定されている）ときに、例えば、図９に示した操作画像Ｎ１で「コピー」と記されたアイコンが選択され、この選択が操作受付部１０１に受け付けられると、図６（Ｂ）に示したような、ユニバーサルモードでの操作画像Ｕ２を表示制御部１０２が表示部４７３に表示させる。
【００６３】
上記第２実施形態に係る画像形成装置1による処理によれば、ユーザーによりピンチアウトの操作が行われ、縮尺変更画像の表示倍率Ｍが第１倍率ＴＨ１に達した後に、ユーザーによりアイコンに対するタッチ操作が行われて当該アイコンの選択が受け付けられることを条件として、当該アイコンに対応する操作画像が、通常モード及びユニバーサルモードの間で切り換え表示される。なお、このように、ユーザーによりアイコンに対するタッチ操作が行われて当該アイコンの選択が受け付けられることを条件として、当該アイコンに対応する操作画像を表示制御部１０２が通常モード及びユニバーサルモードの間で切り換え表示する表示を第２表示機能と称する。
【００６４】
図１０は、第３実施形態に係る表示装置としての画像形成装置の主要内部構成を概略的に示した機能ブロック図である。第３実施形態に係る表示装置としての画像形成装置は、表示制御部１０２が、上記第１表示機能だけでなく、上記第２表示機能を実行すると共に、操作受付部１０１が、選択受付部１０３を備える点で、図１に示した画像形成装置１と相違する。制御ユニット１０が上記表示制御プログラムに従って動作することにより選択受付部１０３として機能する。また、選択受付部１０３は、ハード回路として制御ユニット１０に備えられていてもよい。
【００６５】
選択受付部１０３は、上記第１表示機能及び上記第２表示機能の中から、実行させる機能の選択をユーザーから受け付ける処理を行う。
【００６６】
更に、表示制御部１０２は、選択受付部１０３により受け付けられたユーザー選択の機能を実行する。
【００６７】
この第３実施形態によれば、上記第１表示機能及び上記第２表示機能の中から、実行させる機能をユーザーが自由に選択することが可能なので、ユーザーの利便性を高めることができる。
【００６８】
本発明は上記実施の形態の構成に限られず種々の変形が可能である。また、上記実施形態では、本発明に係る表示装置の一実施形態として画像形成装置を用いて説明しているが、これは一例に過ぎず、本発明に係る表示装置は、表示部を備えた、スマートフォン等のモバイル機器や、他の電子機器でもよい。
【００６９】
また、上記実施形態では、図１乃至図１０を用いて上記実施形態により示した構成及び処理は、本発明の一実施形態に過ぎず、本発明を当該構成及び処理に限定する趣旨ではない。
【符号の説明】
【００７０】
１        画像形成装置
１００    制御部
１０１    操作受付部
１０２    表示制御部
１０３    選択受付部
４７３    表示部
【図１】
2020194291.tif 000003
【図２】
2020194291.tif 000004
【図３】
2020194291.tif 000005
【図４】
2020194291.tif 000006
【図５】
2020194291.tif 000007
【図６】
2020194291.tif 000008
【図７】
2020194291.tif 000009
【図８Ａ】
2020194291.tif 000010
【図８Ｂ】
2020194291.tif 000011
【図９】
2020194291.tif 000012
【図１０】
2020194291.tif 000013